【事件の表示】
　平成　５年特許願第　１５９４９号「無人発券装置」拒絶査定に対する審判事件〔平成　６年　７月２２日出願公開、特開平　６−２０３２３１号、請求項の数（７）〕について、次のとおり審決する。
【結　論】
　原査定を取り消す。
　本願の発明は、特許すべきものとする。
【理　由】
【１】手続の経緯・本願発明
　本願は、平成５年１月５日の出願（特願平５−１５９４９号）であって、その請求項１乃至７に係る発明（以下、「本願発明１」乃至「本願発明７」という。）は、出願当初の明細書及び図面、並びに平成１２年３月２９日付け手続補正書の記載からみて、下記特許請求の範囲の請求項１乃至７に記載された事項により特定されるとおりのものであると認める。
「【請求項１】　支店に設置されたビデオカセット、コンパクトディスク、雑誌等の自動レンタル機を利用するために必要な会員カードを発行するための無人発券装置であって、
　入会希望者が無人発券装置前に立ったことを検知する検知器と、
　前記検知器によって入会希望者が立ったことが検知されると、入会希望者の身分証明書を入会申し込み書と共に読み取り可能な画像読み取り手段と、
　読み取った情報を本部の側に送信する送信手段と、
　本店の側から送信される発券の許否を指示する指示信号を受け取る受信手段と、
　入会金を受け付ける入会金受付手段と、
　前記受信手段から供給される指示信号および前記入会金受付手段からの信号に基づき、発券の許否を判定する判定手段と、
　この判定手段の判定結果に基づき、会員カードの発行動作を行う会員カード発行手段とを有し、
　前記送信手段は、前記本部の側と連絡を取るための本部通信用ボタンと、前記本部の側と連絡を取るためのマイクとを含み、
　前記受信手段は、前記本部から入会希望者への連絡および操作指示を行なうためのスピーカを含むことを特徴とする無人発券装置。
　【請求項２】　請求項１において、更に、入会希望者を撮影する撮影手段を有し、入会希望者の身元確認のために、前記画像読み取り手段で読み取った情報と共に当該撮影情報も前記送信手段を介して本部の側に送信されることを特徴とする無人発券装置。
　【請求項３】　請求項１または２において、前記画像読み取り手段はイメージスキャナーであることを特徴とする無人発券装置。
　【請求項４】　請求項３において、更に、前記イメージスキャナーで読み取った情報をハードコピーとして出力する出力手段を有していることを特徴とする無人発券装置。
　【請求項５】　請求項１ないし４のうちのいずれかの項において、前記会員カード発行手段は、異なる種類の会員カードを発行可能であり、本部の側から送信される前記指示信号には、発行すべき会員カードの種類を指示する情報も含まれており、前記会員カード発行手段は、本部の側から指示された種類の会員カードを発行可能であることを特徴とする無人発券装置。
　【請求項６】　請求項５において、前記異なる種類の会員カードは、成人用会員カードおよび未成年用会員カードであることを特徴とする無人発券装置。
　【請求項７】　ビデオカセット、コンパクトディスク、雑誌等の自動レンタル機が設置された複数の支店と、これらの支店と通信回線を介して接続された本部とを有し、
　前記支店には、そこに設置された自動レンタル機を利用するために必要な会員カードを発行するための無人発券装置が設置されており、
　当該無人発券装置は、入会希望者が無人発券装置前に立ったことを検知する検知器と、前記検知器によって入会希望者が立ったことが検知されると、入会希望者の身分証明書を入会申し込み書と共に読み取り可能なイメージスキャナーと、入会希望者を撮影するための撮影手段と、前記イメージスキャナーで読み取った情報を入会希望者のためにハードコピーとして出力する出力手段と、前記イメージスキャナーで読み取った情報および前記撮影手段で撮影した情報を本部の側に送信する送信手段と、本部の側から送信される発券の許否を指示する指示信号を受け取る受信手段と、入会金を受け付ける入会金受付手段と、前記受信手段から供給される指示信号および前記入会金受付手段からの信号に基づき、発券の許否を判定する判定手段と、この判定手段の判定結果に基づき、会員カードの発行動作を行う会員カード発行手段とを備えており、前記送信手段は、前記本部の側と連絡を取るための本部通信用ボタンと、前記本部の側と連絡を取るためのマイクとを含み、前記受信手段は、前記本部から入会希望者への連絡および操作指示を行うためのスピーカを含んでおり、
　前記本部は、支店の側から送信された情報を受け取る受信手段と、支店の側に向けて会員カードの発行の許否を指示すると共に、入会希望者への連絡および操作指示を行うための指示信号を送信する送信手段とを備えている
　ことを特徴とする無人発券システム。」
　
【２】引用例
　これに対して、
［２−１］原査定の拒絶理由で引用した特開昭６０−５５４８７号公報（以下、「第１引用例」という。）には、例えば、
（１）その公報第１頁左下欄第４〜１４行（特許請求の範囲第１項）の
『運転免許証の免許証番号を自動的に読み取る読み取り手段および取引用カードを発行する発行手段を具備する自動発行ユニットと、
　上記読み取り手段で読み取られたデータが転送されるホストコンピュータであって、上記読み取られたデータの転送とこのホストコンピュータに関連するファイルのチェックとに基づいて上記発行手段に発行の指示を行うものと、
　上記読み取った内容を少なくとも含む利用者のデータを記憶する記憶手段とを有することを特徴とする取引用カード発行システム。』
なる記載、
（２）同第３頁左下欄第１７行〜右下欄第３行の
『利用者は所定の手順に従って運転免許証の挿入やキーボード操作等を行うようになっている。この自動発行ユニット１からは運転免許証の挿入やキーボード操作に基づくデータが交換回線２、管理センタ３および専用回線５を介してホストコンピュータ４に伝送される。』
なる記載、
（３）同第５頁左上欄第２０行〜右上欄第１行の
『なお、通信制御部２０は管理センタとのデータの送受信の制御、変調を行うものである。』
なる記載、
（４）同第５頁右上欄第５〜７行の
『この自動発行モードは利用者が登録押しボタン１３を押圧操作することにより開始される。』
なる記載、
（５）同第５頁左下欄第１行〜右下欄第８行の
『運転免許証の挿入が検出されると（ステップ２３）、自動発行ユニット１が管理センタ３にダイヤルインする・・・（中略）・・・認識装置７により運転免許証の免許証番号の読み取りが行われ（ステップ３０）、さらに免許証の撮影が行われる（ステップ３１）。』
なる記載及び
（６）第６頁右上欄第７〜２０行の
『この後入力データおよび読み取られた運転免許証のデータがホストコンピュータ４に伝送され（ステップ４４）、取引実績不良者および二重発行のチェックがなされる・・・（中略）・・・利用者が取引実績不良者でも既発行者でもないときには取引用カードを発行する。』
なる記載、そして
（７）図面の記載内容、
等からみて、
「例えば現金自動払出機を利用するために必要な取引用カード（本願発明１の「会員カード」に相当する。以下、括弧内は本願発明１の相当部分を示す。）を発行するための無人の自動発行ユニット１（無人発券装置）であって、
　利用者（入会希望者）が登録押しボタン１３を押圧操作し、運転免許証を挿入すると、利用者の運転免許証の免許証番号を読み取り可能な認識装置７（画像読み取り手段）と、利用者が個人データを入力するためのキーボード１２と、読み取ったデータおよびキーボード操作に基づく入力データ（情報）を管理センタ３（本部の側）に送信する通信制御部２０の送信部（送信手段）と、管理センタ３に接続するホストコンピュータ４から送出される前記各データに基づく発行の指示等のチェック結果（発券の許否）を受け取る通信制御部２０の受信部（受信手段）と、前記通信制御部２０の受信部から供給される発行等の指示に基づき、カードの発行等を指令する制御部１８と、この制御部１８からの指令に基づき、取引用カードの発行動作を行う発行装置１９（カード発行手段）とを有する無人の自動発行ユニット１（無人発券装置）」、
が記載されているものと認められる。
［２−２］同じく引用した特開平１−９６７９２号公報（以下、「第２引用例」という。）には、例えば、
（１）その公報第１頁右下欄第４〜７行の
『例えば、ビデオテープやコンパクトディスクに関するレンタル会員カードもその一例であり、会員管理やレンタル業務の省力化等を図っている。』
なる記載、
（２）同第２頁左下欄第１２行〜右下欄第７行の
『一方、コンピュータ１０には前記第一読取手段２及び第二読取手段３を接続する。第一読取手段２は被発行者の所有する証明物に表示された被発行者情報の読取機能を備える。即ち、前記証明物挿入口２１から挿入される証明物、例えばＩＤカード、自動車免許証、健康保険証又は学生証等の表面に記載される住所、氏名、証明印等の被発行者情報をコピー或はイメージスキャナ等で読取る。そして、読取った被発行者情報はコンピュータ１０へインプットする。他方、第二読取手段３は入金額の読取機能を備え、・・・（中略）・・・その金額をコンピュータ１０へインプットする。なお、１１はカード発行部を示し、コンピュータ１０からの指令を受けて所定の会員カードを前記カード発行口２２から発行する。』
なる記載及び
（３）同第２頁右下欄第１０〜１２行の
『なお、自動カード発行機１の操作手順はディスプレイ２５に順次表示され、指定された操作キー２６…を操作することによって進行する。』
なる記載、そして
（４）図面の記載内容、
等からみて、
「ビデオテープやコンパクトディスク（ビデオカセット、コンパクトディスク、雑誌等）の自動レンタル機を利用するために必要なレンタル会員カード（会員カード）を発行するための自動カード発行機（無人発券装置）であって、
　ディスプレイ２５に順次表示される操作手順に従って指定された操作キー２６…を操作することによって進行する操作手段と、被発行者（入会希望者）の例えばＩＤカード、自動車免許証、健康保険証又は学生証等の証明物（身分証明書）を読み取り可能な第一読取手段２（画像読み取り手段）と、入金額（入会金）を読取る第二読取手段３（入会金受付手段）と、読み取った被発行者情報（情報）および入金額がインプットされ、それらに基づき会員カードの発行を指令する本体２０内部のコンピュータ１０と、コンピュータ１０からの指令を受けて会員カードの発行動作を行うカード発行部１１（会員カード発行手段）とを有する自動カード発行機」、
が記載されているものと認められる。
　
【３】対比・判断
［３−１］本願発明１について
　本願発明１と上記第１，２引用例に記載のものとを比較すると、一般的に無人処理装置として、例えば、
（１）人が無人処理装置前に立ったことを検知する検知器を設け、前記検知器による人の検知により無人処理装置がその後の処理動作に移行するように構成すること、
及び、
（２）本部と無人処理装置が設置されている支部との間において、支部の側の送信手段に、本部の側と連絡を取るための本部通信用ボタンとマイクとを含み、受信手段に、本部から支部の側の者への連絡および操作指示を行なうためのスピーカを含むこと、
がそれぞれ周知の手段であったとしても、上記第１，２引用例に記載のもののいずれも、本願発明１の構成に欠くことができない構成要件の一つである、
無人発券装置に「入会希望者の身分証明書を入会申し込み書と共に読み取り可能な画像読み取り手段」を具備させた構成、を有していない。
　そして、本願発明１は、上記の構成を備えていることにより、『各レンタル店の側において入会希望者の入会申込み書をイメージスキャナー等の画像読み取り手段で読み取り、これを本部の側に自動送信して、本部の側の常駐者によって入会の許否を判別させ、判別結果に基づき、各レンタル店の側で、自動的に会員カードの発行を行うことができる。したがって、各レンタル店の側では会員カードの発行も自動で行うことができるので、各レンタル店の完全な無人化を実現できる。』（【００２４】【発明の効果】参照）という明細書に記載の効果を奏するものと認められる。
　したがって、本願発明１が、上記第１，２引用例のいずれかに記載されたものであるとも、また、第１，２引用例に記載のものに基いて当業者が容易に発明をすることができたものであるとすることもできない。
［３−２］本願発明２乃至７について
　本願発明１を引用する本願発明２乃至６及び本願発明１の構成に欠くことができない事項の主要部が同一である本願発明７も、上記［３−１］に記載したと同様の理由で、上記第１，２引用例のいずれかに記載されたものであるとも、また、第１，２引用例に記載のものに基いて当業者が容易に発明をすることができたものであるとすることもできない。
　
【４】むすび
　以上述べたとおり、本願については、原査定の拒絶理由を検討してもその理由によって拒絶すべきものとすることはできない。
　また、他に本願を拒絶すべき理由を発見しない。
　よって、結論のとおり審決する。